(57)【要約】【課題】シアン汚染地下水を金属還元体を充填した水透過性の地下水浄化層に透過させることにより浄化するに当たり、浄化層内におけるシアン化合物の不溶化を促進して、少ない金属還元体量で効率的に浄化する。【解決手段】地下水浄化層１又はその上流側に酸性物質又は酸化性物質を存在させる。【選択図】  図１
2004261738.tif 000002
【特許請求の範囲】
【請求項１】
シアン汚染帯水層よりも、地下水の流れに対して下流側の地中に、金属還元体が充填された水透過性の地下水浄化層を設け、該シアン汚染帯水層からのシアン汚染地下水を該地下水浄化層に透過させて浄化する方法において、
該地下水浄化層内、及び／又は、該地下水の流れに対して該地下水浄化層よりも上流側であって前記シアン汚染帯水層よりも下流側の帯水層内に、酸性物質を存在させることを特徴とするシアン汚染地下水の浄化方法。
【請求項２】
請求項１において、該地下水浄化層、及び／又は、該地下水の流れに対して該地下水浄化層よりも上流側であって前記シアン汚染帯水層よりも下流側の帯水層に、液体の酸性物質を供給することを特徴とするシアン汚染地下水の浄化方法。
【請求項３】
請求項２において、液体の酸性物質が塩酸、硫酸、及びリン酸よりなる群から選ばれる１種又は２種以上であることを特徴とするシアン汚染地下水の浄化方法。
【請求項４】
請求項１において、固体の酸性物質を前記金属還元体と混合して該地下水浄化層内に充填しておくことを特徴とするシアン汚染地下水の浄化方法。
【請求項５】
請求項１において、該地下水の流れに対して該地下水浄化層よりも上流側であって、前記シアン汚染帯水層よりも下流側の地中に、固体の酸性物質を充填した水透過性の層を形成しておくことを特徴とするシアン汚染地下水の浄化方法。
【請求項６】
請求項５において、該固体の酸性物質が、活性白土、及び／又は、液体の酸性物質を含浸させた多孔性物質であることを特徴とするシアン汚染地下水の浄化方法。
【請求項７】
シアン汚染帯水層よりも、該地下水の流れに対して下流側の地中に、金属還元体が充填された水透過性の地下水浄化層を設け、該シアン汚染帯水層からのシアン汚染地下水を該地下水浄化層に透過させて浄化する方法において、
該地下水浄化層内、及び／又は、該地下水の流れに対して該地下水浄化層よりも上流側であって前記シアン汚染帯水層よりも下流側の帯水層内に、酸化性物質を存在させることを特徴とするシアン汚染地下水の浄化方法。
【請求項８】
請求項７において、該地下水浄化層、及び／又は、該地下水の流れに対して該地下水浄化層よりも上流側であって前記シアン汚染帯水層よりも下流側の帯水層に、液体の酸化性物質を供給することを特徴とするシアン汚染地下水の浄化方法。
【請求項９】
請求項８において、該液体の酸化性物質が過酸化水素であることを特徴とするシアン汚染地下水の浄化方法。
【請求項１０】
請求項８において、該地下水浄化層、及び／又は、該地下水の流れに対して該地下水浄化層よりも上流側であって前記シアン汚染帯水層よりも下流側の帯水層に、気体の酸化性物質を吹き込むことを特徴とするシアン汚染地下水の浄化方法。
【請求項１１】
請求項１０において、該気体の酸化性物質が酸素ガス又は酸素含有ガスであることを特徴とするシアン汚染地下水の浄化方法。
【請求項１２】
請求項１ないし６のいずれか１項において、前記シアン汚染帯水層よりも地下水の流れに対して上流側の帯水層、及び／又は、該シアン汚染帯水層に、アルカリ性物質を存在させることを特徴とするシアン汚染地下水の浄化方法。
【請求項１３】
請求項１２において、前記シアン汚染帯水層よりも地下水の流れに対して上流側の帯水層、及び／又は、該シアン汚染帯水層に、液体のアルカリ性物質を供給することを特徴とするシアン汚染地下水の浄化方法。
【請求項１４】
請求項１２において、前記シアン汚染帯水層よりも地下水の流れに対して上流側の地中に、固体のアルカリ性物質を充填した水透過性の層を形成しておくことを特徴とするシアン汚染地下水の浄化方法。
【請求項１５】
請求項１４において、該固体のアルカリ性物質が水酸化カルシウムであることを特徴とするシアン汚染地下水の浄化方法。
【発明の詳細な説明】
【０００１】
【発明の属する技術分野】
本発明は、シアン汚染地下水を金属還元体を充填した水透過性の地下水浄化層に透過させることにより浄化する方法に係り、特に、この浄化層内において、シアン化合物を効率的に不溶化させることにより、浄化効果を高める浄化方法に関する。
【０００２】
【従来の技術】
メッキ工場、半導体製造工場、化学工場、電池製造工場等では、６価クロム、鉛、カドミウム、ヒ素、シアン、水銀、セレン等の重金属類が製造原料として使用されている。そのため、これらの製造設備周辺では、管理が適切でない場合や、事故等により、これらの重金属類で土壌が汚染されることがある。また、シアンはメッキ工場で使用されることが多いが、石炭から燃料ガスを製造する際に生成する副生成物でもあり、燃料ガス工場跡地の土壌を汚染している場合もある。このように土壌が汚染されると、特に、６価クロムやヒ素、シアン、セレンは通常陰イオンの形態で存在するので、比較的土壌に吸着され難いため、汚染が帯水層まで到達する場合が多く、この場合には地下水が汚染されることとなる。このような地下水の汚染は、特に、地下水を飲用等に使用している場合は大きな問題となる。
【０００３】
従来、汚染地下水の浄化には、揚水井戸を設けて地下水を揚水し、地上で浄化処理することが行われてきた。しかし、この方法では浄化期間が長期化する上に、揚水された汚染地下水を地上施設を用いて処理した上で放流する必要があるため、維持管理コストが高くなり、長期的には総コストは非常に高いものとなる。
【０００４】
別の浄化手段としては、土壌を掘削して処分場に搬出して浄化処理する方法があるが、汚染領域が広く、深い位置まで到達している場合には掘削土壌量が膨大となり、やはりコストがかかる。
【０００５】
このような状況から、汚染帯水層の地下水を低コストに浄化する方法として、地下水浄化壁を設け、現場にて地下水を浄化する方法が提案された。この方法は、有機塩素化合物汚染地下水に適用され（特開平５−５０１５２０号公報）、シアン汚染帯水層にも適用されている（ＵＳＰ５，８３７，１４５）。
【０００６】
この地下水浄化壁は、地中に形成した穴（トレンチ）に、鉄粉等の金属還元体を砂と混合して充填した水透過性の層であり、汚染地下水がこの浄化層を透過する際に、金属還元体による還元反応で地下水中の汚染物質が無害化される。
【０００７】
【特許文献１】
特開平５−５０１５２０号公報
【特許文献２】
ＵＳＰ５，８３７，１４５
【０００８】
【発明が解決しようとする課題】
地下水浄化壁は、地下水の揚水や土壌の掘削等を行うことなく、現場にて地下水を浄化することができる点において、非常に有利な方法であるが、金属還元体を充填した水透過性の地下水浄化層に、シアン汚染地下水を透過させて浄化する場合、浄化に必要な金属還元体量が多く、浄化コストが高くつくという欠点があった。即ち、シアン化合物は、金属還元体の浄化層内で不溶化され難く、不溶化のためには多量の金属還元体が必要となる。このため、従来においては、シアン汚染地下水の浄化には、このような浄化壁は適用されておらず、汚染地下水の揚水又は汚染土壌の掘削という手間とコストのかかる処理が適用されているのが現状である。
【０００９】
本発明は上記従来の問題点を解決し、シアン汚染地下水を金属還元体を充填した水透過性の地下水浄化層に透過させることにより浄化するに当たり、浄化層内におけるシアン化合物の不溶化を促進して、少ない金属還元体量で効率的に浄化する方法を提供することを目的とする。
【００１０】
【課題を解決するための手段】
請求項１のシアン汚染地下水の浄化方法は、シアン汚染帯水層よりも、地下水の流れに対して下流側の地中に、金属還元体が充填された水透過性の地下水浄化層を設け、シアン汚染地下水を該地下水浄化層に透過させて浄化する方法において、該地下水浄化層内、及び／又は、該地下水の流れに対して該地下水浄化層よりも上流側であって前記シアン汚染帯水層よりも下流側の帯水層内に、酸性物質を存在させることを特徴とする。
【００１１】
請求項７のシアン汚染地下水の浄化方法は、シアン汚染帯水層よりも、該地下水の流れに対して下流側の地中に、金属還元体が充填された水透過性の地下水浄化層を設け、該シアン汚染帯水層からのシアン汚染地下水を該地下水浄化層に透過させて浄化する方法において、該地下水浄化層内、及び／又は、該地下水の流れに対して該地下水浄化層よりも上流側であって前記シアン汚染帯水層よりも下流側の帯水層内に、酸化性物質を存在させることを特徴とする。
【００１２】
なお、以下において、地下水の流れに対して地下水浄化層よりも上流側であってシアン汚染帯水層よりも下流側の領域を単に「中間地点」と称し、この中間地点の帯水層を「中間帯水層」と称す場合がある。また、地下水の流れに対して下流側を単に「下流側」と称し、地下水の流れに対して上流側を単に「上流側」と称す。
【００１３】
シアン汚染帯水層中のシアン化合物は、多くの場合、土壌中の鉄イオンなどの金属イオンと結合して錯イオンとなっている。錯イオンとなったシアンは金属還元体から供給される金属イオンと結合して、例えば、金属還元体が鉄の場合、下記反応式▲１▼に従って不溶性の塩となるが、この塩は一般にアルカリ性では不安定で水に溶解しやすくなる性質がある。
【００１４】
【化１】
2004261738.tif 000003
【００１５】
このため、従来においては、金属還元体を充填した浄化壁でシアン汚染地下水を浄化する場合、層内がアルカリ性であると、シアンが不溶化され難く、不溶化のためには、多量の金属還元体が必要とされていた。
【００１６】
請求項１の方法では、地下水浄化層及び／又は中間帯水層に酸性物質を存在させることにより、地下水のｐＨを中性〜弱酸性とし、浄化層内で上記▲１▼の不溶化反応を進行し易くすることにより、シアンの不溶化を促進する。
【００１７】
また、請求項７の方法では、地下水浄化層及び／又は中間帯水層に酸化性物質を存在させることにより、この酸化性物質で金属還元体を酸化し、金属還元体から金属イオンが溶出し易くすることにより、地下水への金属イオンの供給効率を高め、これにより、上記▲１▼の不溶化反応を促進する。更に、溶出した金属イオンが不溶性の水酸化物を生成して沈殿する過程で不溶性のシアン化合物を取り込み易くし、これにより、より一層シアン化合物の不溶化を促進することができる。
【００１８】
なお、本発明のシアン汚染地下水の浄化方法においては、地下水浄化層及び／又は中間帯水層に、酸性物質と酸化性物質とを存在させても良いことは言うまでもない。
【００１９】
ところで、前述の如く、土壌中のシアン化合物は錯イオンとなっており、アルカリ性では水に溶解し易いが、逆に酸性条件では不溶化し易い。従って、シアン汚染帯水層内が酸性条件であると、シアン汚染帯水層内のシアン化合物は層内で固定され、地下水中には溶出し難い。
【００２０】
一方で、シアン汚染帯水層の下流側に地下水浄化層を設け、シアン汚染帯水層からこの地下水浄化層に流入する汚染地下水を浄化する場合、この地下水中にシアン汚染帯水層中のシアン化合物が多く溶出している方が、シアン汚染帯水層の浄化効果が高い。
【００２１】
そこで、本発明では、シアン汚染帯水層よりも上流側の帯水層及び／又はシアン汚染帯水層にアルカリ性物質を存在させてアルカリ条件とし、シアン汚染帯水層の土壌に固定されているシアン化合物を下記反応式▲２▼に従って地下水側に溶出させ、これを下流側の地下水浄化層で浄化するようにすることが好ましい。
【００２２】
【化２】
2004261738.tif 000004
【００２３】
この場合、前述の如く、アルカリ条件ではシアン化合物は溶解し易く、このアルカリ性の地下水がそのまま地下水浄化層に流入すると、地下水浄化層でのシアン化合物の不溶化効果を十分に得ることができないことから、地下水浄化層及び／又は中間帯水層において酸を存在させて、ｐＨ中性ないし酸性として浄化する。即ち、上記反応式▲２▼の反応でシアン汚染帯水層中のシアン化合物を地下水に溶出させた後に、前記反応式▲１▼の反応で地下水浄化層内にて地下水中のシアン化合物を効率的に不溶化する。
【００２４】
【発明の実施の形態】
以下に本発明のシアン汚染地下水の浄化方法の実施の形態を詳細に説明する。
【００２５】
本発明の方法は、シアン汚染帯水層の下流側に金属還元体を充填した水透過性の地下水浄化層を設け、この地下水浄化層にシアン汚染帯水層からの汚染地下水を透過させてこれを浄化するものである。この地下水浄化層は、例えばシアン汚染帯水層に対して予め地下水の流れ方向を把握し、汚染地下水が流入するような位置に、トレンチ（溝穴）を掘削し、このトレンチ内に鉄粉等の金属還元体を充填することにより形成することができる。
【００２６】
この地下水浄化層には、鉄粉等の金属還元体のみを充填しても良いが、地下水浄化壁の材料費を低減して水透過性を確保するためには、これらの材料を砂や礫等の水透過性の高い安価な材料と混合して充填することが好ましい。
【００２７】
この場合、例えば、鉄粉と砂との混合割合には特に制限はないが、鉄粉：砂＝１０〜８０：９０〜２０（重量比）の範囲であることが浄化効果及び水透過性の確保、コストの低減の点で好ましい。使用する鉄粉の粒子径は、表面積を大きくする上では小さい方が好ましく、水透過性を確保するためには大きい方が好ましい。好適な粒子径としては０．１〜２ｍｍ程度である。金属還元体としては鉄粉の他、アルミニウム、亜鉛等を用いることもできるが、これらのうち、安価であることから鉄粉が好ましく、鉄廃棄物を再利用することも可能である。
【００２８】
本発明において、このような地下水浄化層、及び／又は中間帯水層に、酸性物質又は酸化性物質を存在させる方法としては特に制限はないが、次のような方法を採用することができる。
【００２９】
［酸性物質を存在させる方法］
（１）  地下水浄化層又は中間帯水層に液体の酸性物質を供給する。具体的には地下水浄化層又は中間帯水層に井戸を掘削し、この井戸から液体の酸性物質を供給する。
（２）  地下水浄化層内に固体の酸性物質を充填する。具体的には、地下水浄化層の形成に当たり、金属還元体、或いは金属還元体と砂の混合物に、更に固体の酸性物質を混合して充填する。
（３）  シアン汚染帯水層と地下水浄化層との間の中間地点の地中に、好ましくは地下水浄化層に隣接した上流側に、固体の酸性物質を充填した水透過性の層を形成する。
【００３０】
上記（１）の方法において、液体の酸性物質としては、一般的な無機酸、例えば、塩酸、硫酸、リン酸等を用いることができる。なお、硝酸は地下水環境基準に定められた物質であり地下水への添加は好ましくない。
【００３１】
また（２），（３）の方法において、固体の酸性物質としては、活性白土、或いは、上述の無機酸をシリカゲル、アルミナ、チタニア等の多孔性物質に含浸させたものなどを用いることができる。固体の酸性物質を充填した水透過性の層を形成する場合、この層は、酸性物質のみを充填して形成しても良く、また、酸性物質と砂とを混合して充填しても良い。固体の酸性物質は、前述の理由から金属還元体と同等の粒径であることが好ましく、砂と混合する場合の混合比も、前述の鉄粉と砂との混合割合と同程度とするのが好ましい。
【００３２】
このようにして酸性物質を用いることにより、地下水浄化層に流入する地下水或いは地下水浄化層内の地下水のｐＨが中性から酸性、具体的にはｐＨ５．０〜７．０程度となるように、酸性物質の使用量を調整することが好ましい。
【００３３】
［酸化性物質を存在させる方法］
（４）  地下水浄化層又は中間帯水層に気体の酸化性物質を吹き込む。
（５）  地下水浄化層又は中間帯水層に液体の酸化性物質を供給する。具体的には地下水浄化層又は中間帯水層に井戸を掘削し、この井戸から液体の酸化性物質を供給する。
【００３４】
上記（４）の方法において、気体の酸化性物質としては、酸素又は酸素含有ガスを用いることができ、また、上記（５）の方法において、液体の酸化性物質としては、過酸化水素を用いることができる。過酸化水素は土壌との接触又は水中の金属イオンの作用により下記反応式に従って、自己分解して酸素を発生する。
２Ｈ２Ｏ２→Ｏ２＋２Ｈ２Ｏ
【００３５】
地下水中の酸化性物質濃度が高いと一般に金属還元体の腐食量を増大させる。金属還元体の腐食量が多いと、場合によっては腐食生成物が地下水浄化層内に蓄積して閉塞するおそれが生じる。従って、酸素又は酸素含有ガスの場合は、地下水中の溶存酸素濃度として０．１〜８ｍｇ／Ｌ、特に０．５〜３ｍｇ／Ｌとなるように添加するのが好ましい。溶存酸素濃度が０．１ｍｇ／Ｌ未満の場合は殆どその使用効果は認められず、８ｍｇ／Ｌを超えると金属還元体の腐食量が多くなる上に、ガスの吹き込みコストが高くつき、経済的ではない。同様の理由から、酸化性物質として過酸化水素を用いる場合は、地下水中の濃度が０．２〜１７ｍｇ／Ｌ、特に１〜６ｍｇ／Ｌとなるように添加することが好ましい。
【００３６】
本発明においては、このように、酸性物質又は酸化性物質を用いることにより、地下水浄化層でのシアン化合物の不溶化を促進して良好な浄化効果を得ることができる。
【００３７】
前述の如く、シアン汚染帯水層中のシアン化合物は、アルカリ条件下では溶出し易いが、酸性条件下ではシアン汚染帯水層内の土壌に不溶化物として固定され易い。
【００３８】
従って、本発明においては、シアン汚染帯水層の上流側又はシアン汚染帯水層に、アルカリ性物質を存在させることによりシアン汚染帯水層内の地下水のｐＨをアルカリ性とし、土壌からのシアン化合物の地下水側への溶出を促進させ、このシアン化合物溶出地下水をシアン汚染帯水層の下流側に設けた地下水浄化層で浄化することが好ましい。このようにアルカリ性物質を用いる方法としては、次のような方法が挙げられる。
【００３９】
［アルカリ性物質を存在させる方法］
（６）  シアン汚染帯水層又はその上流側の帯水層に、液体のアルカリ性物質を供給する。具体的には、シアン汚染帯水層又はその上流位置で井戸を掘削し、この井戸から液体のアルカリ性物質を供給し、シアン汚染帯水層内の地下水又はシアン汚染帯水層に流入する地下水をアルカリ性とする。
（７）  シアン汚染帯水層の上流側の地中に、固体のアルカリ性物質を充填した水透過性の層を設け、シアン汚染帯水層に流入する地下水をアルカリ性とする。
【００４０】
上記（６）の方法において、液体のアルカリ性物質としては、炭酸ナトリウム、水酸化カルシウム、炭酸水素ナトリウム、リン酸ナトリウム、リン酸１水素２ナトリウム、水酸化ナトリウム、水酸化カリウム等の水溶液を用いることができる。また、上記（７）の方法において、固体のアルカリ性物質としては、水酸化カルシウム等を用いることができる。この固体のアルカリ性物質を充填した水透過性の層を形成する場合、前述と同様の理由から、アルカリ性物質の粒径は鉄粉と同程度であることが好ましい。また、このアルカリ性物質も砂と混合して用いても良いが、この場合の混合割合も、前述の鉄粉と砂との混合割合と同程度とするのが好ましい。
【００４１】
本発明においては、このようなアルカリ性物質を用いることにより、シアン汚染帯水層に流入する地下水又はシアン汚染帯水層中の地下水のｐＨが９以上、特に１０〜１１となるようにすることが、シアン化合物の溶出効果の面で好ましい。
【００４２】
なお、このようなアルカリ性の地下水が地下水浄化層に流入すると、その溶出効果のためにシアン化合物の不溶化を行えず、浄化効果を得ることができないため、このように、アルカリ性物質を用いる場合には、前述の（１）〜（３）の方法で酸性物質を用いて、地下水浄化層に流入する地下水又は地下水浄化層中の地下水が中性〜弱酸性となるようにする。
【００４３】
図１（ａ）（平面図）、（ｂ）（断面図）に、アルカリ性物質と酸性物質とを併用する本発明のシアン汚染地下水の浄化方法の実施の形態を示すが、本発明は、何ら図示の方法に限定されるものではない。
【００４４】
図１では、シアン汚染帯水層１０の下流側の地中に、矢板１１，１２等を形成し、この間に鉄粉等の金属還元体を充填した地下水浄化層１を設けると共に、その上流側に活性白土等の固体の酸性物質を充填した酸性層２を設け、更に、シアン汚染帯水層１０の上流側に水酸化カルシウム粒子を充填したアルカリ層３を設けてある。アルカリ層３を透過したアルカリ性の地下水は、シアン汚染帯水層１０に流入し、シアン汚染帯水層１０内のシアン化合物を溶出させる。溶出したシアン化合物を含む汚染地下水は、酸性層２を透過する間にｐＨが中性〜弱酸性となり、更に地下水浄化層１に流入する。この地下水浄化層１内では、中性〜弱酸性条件下でシアン化合物が金属還元体からの金属イオンの作用により効率的に不溶化されて除去されると共に、共存する他の重金属類やハロゲン化合物等も還元無害化され、浄化された地下水が地下水浄化層１から更に下流側へ流れる。
【００４５】
【実施例】
以下に実施例及び比較例を挙げて本発明をより具体的に説明する。
【００４６】
実施例１，２、比較例１〜６
脱塩素処理した水道水にヘキサシアノ鉄（ＩＩ）酸カリウムを溶解し、全シアン濃度として１０ｍｇ／Ｌの模擬汚染水を調製した。この模擬汚染水１００ｍｌを、表１に示す処理材と共に密栓可能なポリ容器に入れ３日間振盪した。振盪後の溶液を０．４５μｍのフィルターで濾過し、濾液中の全シアン濃度とｐＨを測定した。なお、全シアン濃度の分析定量下限値は０．１ｍｇ／Ｌである。結果を表１に示す。なお、比較例５，６及び実施例３では、試験に先立ち、模擬汚染水に窒素曝気を行い、溶存酸素を除去した。
【００４７】
【表１】
2004261738.tif 000005
【００４８】
表１に示すように、鉄粉により全シアン濃度を定量下限値以下にすることは可能であるが、鉄粉のみでは、その必要量が多く、０．２ｇの使用では全シアン濃度を定量下限値以下にまで低減することはできない。これに対して、活性白土を共存させると、より少ない鉄粉量で全シアン濃度を定量下限値以下にすることができる。また、窒素曝気により溶存酸素を除去すると同量の鉄粉を使用しても全シアンが検出されるようになり、酸化性物質である溶存酸素の存在がシアンの除去に有効であることがわかる。一般に、地下水中の溶存酸素濃度は調製した模擬汚染水よりも低く、模擬汚染水に窒素曝気を行った状態に相当する。従って、このような地下水に空気や、過酸化水素を供給することにより全シアン除去効果を高めることができることがわかる。
【００４９】
以上の結果から、金属還元体によりシアン化合物を除去することができることは明らかであるが、更に、酸性物質（ここでは活性白土）、酸化性物質（ここでは溶存酸素）を金属還元体と共存させることにより、シアン化合物除去効果が向上することがわかる。
【００５０】
実施例３、比較例７
脱塩素処理した水道水を窒素曝気処理した水（比較例７）と、十分に空気と接触させた水（実施例３）との２種類を調製し、各々にシアン化カリウムをシアンイオン濃度として１０ｍｇ／Ｌとなるよう溶解し、各々模擬汚染水とした。各模擬汚染水の５０ｍＬに市販の鉄粉２ｇを添加して３日間振盪した。振盪後に溶液中に残留するシアン濃度を測定したところ、窒素曝気処理した比較例７では５ｍｇ／Ｌの残留遊離シアンが確認されたが、空気と十分に接触させた実施例３では定量下限値の０．１ｍｇ／Ｌ未満となっていることが確認された。
【００５１】
この結果からも、地下水に酸素を供給することにより、シアン化合物除去効果を高めることができることがわかる。
【００５２】
実施例４〜９、比較例８
メッキ工場の敷地から採取したシアン汚染土壌を風乾し、２ｍｍ以下にふるい分けした。この土壌試料８ｇと表２に示すアルカリ剤を含む処理液（ただし、比較例８では純水）４０ｍｌをプラスチック製の５０ｍｌのフタ付き遠心管に入れ、２００ｒｐｍの条件で６時間振盪した。振盪終了後、遠心分離機にかけその上澄液を０．４５μｍのフィルターで濾過し、濾液中の全シアン濃度を測定した。この測定結果から予め測定した汚染土壌中の全シアン含有量（５０ｍｇ／ｋｇ）に対するシアン化合物の溶出量の割合（溶出率）を求め。結果を表２に示した。
【００５３】
【表２】
2004261738.tif 000006
【００５４】
表２より、アルカリ条件とすることにより、土壌中に存在する不溶性のシアン化合物を地下水側へ容易に溶出させることができるようになることがわかる。
【００５５】
【発明の効果】
以上詳述した通り、本発明のシアン汚染地下水の浄化方法によれば、シアン汚染地下水を金属還元体を充填した水透過性の地下水浄化層に透過させることにより浄化するに当たり、浄化層内におけるシアン化合物の不溶化を促進して、少ない金属還元体量で効率的に浄化することができる。
【図面の簡単な説明】
【図１】本発明のシアン汚染地下水の浄化方法の実施の形態を模式的に示す図であり、（ａ）図は平面図、（ｂ）図は断面図である。
【符号の説明】
１  地下水浄化層
２  酸性層
３  アルカリ層
１０  シアン汚染帯水層
１１，１２  矢板
【図１】
2004261738.tif 000007